(57)【要約】【課題】表示色の彩度に注目し、輝度の低減を適切に行うことにより、消費電力と特性劣化の低減を図ることができる画像駆動方法を得る。【解決手段】表示ディスプレイに表示する表示色の彩度の高い高彩度領域を設定する設定工程と、前記表示ディスプレイに表示する表示データが設定された前記高彩度領域に存在するか否かを判定する判定工程と、前記表示データが前記高彩度領域に存在する場合に、輝度を低下させるべく制御する輝度制御工程とを含む。【選択図】図１２
2010211098.tif 000002
【特許請求の範囲】
【請求項１】
表示ディスプレイに表示する表示色の彩度の高い高彩度領域を設定する設定工程と、
前記表示ディスプレイに表示する表示データが設定された前記高彩度領域に存在するか否かを判定する判定工程と、
前記表示データが前記高彩度領域に存在する場合に、輝度を低下させるべく制御する輝度制御工程と
を含む画像駆動方法。
【請求項２】
請求項１に記載の画像駆動方法において、
前記設定工程は、色度図上における前記表示ディスプレイの材料固有のＲＧＢが形成する三角形の頂点とホワイトポイントを結ぶ線を元にＲＧＢが形成する三角形の辺に近い領域を高彩度領域として設定する
ことを特徴とする画像駆動方法。
【請求項３】
請求項２に記載の画像駆動方法において、
前記高彩度領域として、前記色度図における点Ｒ、Ｇ、Ｂ、Ｙ、Ｃ、Ｍと点Ｗをそれぞれ結ぶ直線上に位置する、点Ｗでの消費電力と同じ電力上の消費電力限界点をそれぞれ求め、ＲＧＢが形成する三角形の内側であり、前記消費電力限界点を順次結んで形成される多角形の外側となる、ホワイトポイントでの電力より高い純度の領域が設定される
ことを特徴とする画像駆動方法。
【請求項４】
請求項２に記載の画像駆動方法において、
前記高彩度領域として、前記色度図における点Ｙ、Ｃ、Ｍと点Ｗをそれぞれ結ぶ直線上に位置する、点Ｗでの消費電力と同じ電力上の消費電力限界点をそれぞれ求め、ＲＧＢが形成する三角形の内側であり、前記消費電力限界点を前記三角形の各頂点間に介在して当該消費電力限界点と前記三角形の各頂点を順次結んで形成される多角形の外側となる、ホワイトポイントでの電力より高い純度の領域が設定される
ことを特徴とする画像駆動方法。
【請求項５】
請求項２に記載の画像駆動方法において、
前記高彩度領域として、前記色度図におけるＲＧＢが形成する三角形の頂点を中心とし、点Ｒ、Ｇ、Ｂから、点Ｒ、Ｇ、Ｂと点Ｗをそれぞれ結ぶ直線上に位置する、点Ｗでの消費電力と同じ電力上の消費電力限界点ｒ、ｇ、ｂまでの距離を半径とする３つの小円を求めると共に、点Ｒ、Ｇ、Ｂと点Ｗをそれぞれ結ぶ直線上に中心位置がそれぞれ存在し、点Ｙ、Ｃ、Ｍと点Ｗをそれぞれ結ぶ直線上に位置する、点Ｗでの消費電力と同じ電力上の消費電力限界点ｙ、ｃ、ｍをそれぞれ通り、点Ｙ、Ｃ、Ｍに隣接するＲＧＢが形成する三角形の頂点間の距離を半径とする３つの大円を求め、ＲＧＢが形成する三角形の内側であり、前記３つの小円の内側にあり、かつ前記３つの大円の内側にある領域が設定される
ことを特徴とする画像駆動方法。
【請求項６】
請求項２に記載の画像駆動方法において、
前記高彩度領域として、前記色度図における点Ｙ、Ｃ、Ｍと点Ｗをそれぞれ結ぶ直線上に位置する、点Ｗでの消費電力と同じ電力上の消費電力限界点ｙ、ｃ、ｍをそれぞれ通り、点Ｙ、Ｃ、Ｍに隣接するＲＧＢが形成する三角形の頂点間の距離を半径とする３つの円を求め、ＲＧＢが形成する三角形の内側であり、前記３つの円の内側にありる領域が設定される
ことを特徴とする画像駆動方法。
【請求項７】
請求項２に記載の画像駆動方法において、
前記高彩度領域として、前記色度図におけるＲＧＢが形成する三角形の頂点を中心とし、点Ｒ、Ｇ、Ｂから、点Ｒ、Ｇ、Ｂと点Ｗをそれぞれ結ぶ直線上に位置する、点Ｗでの消費電力と同じ電力上の消費電力限界点ｒ、ｇ、ｂまでの距離を半径とする３つの小円を求めると共に、点Ｙ、Ｃ、Ｍと点Ｗをそれぞれ結ぶ直線上に位置する、点Ｗでの消費電力と同じ電力上の消費電力限界点ｙ、ｃ、ｍと、点ｙ、ｃ、ｍを間にしてＲＧＢが形成する三角形の隣接する２つの頂点とを通る３つの大円を求め、ＲＧＢが形成する三角形の内側であり、前記３つの小円の内側にあり、かつ前記３つの大円の内側にある領域が設定される
ことを特徴とする画像駆動方法。
【請求項８】
請求項２に記載の画像駆動方法において、
前記高彩度領域として、前記色度図における点Ｙ、Ｃ、Ｍと点Ｗをそれぞれ結ぶ直線上に位置する、点Ｗでの消費電力と同じ電力上の消費電力限界点ｙ、ｃ、ｍと、点ｙ、ｃ、ｍを間にしてＲＧＢが形成する三角形の隣接する２つの頂点とを通る３つの大円を求め、ＲＧＢが形成する三角形の内側であり、前記３つの大円の内側にある領域が設定される
ことを特徴とする画像駆動方法。
【請求項９】
請求項２に記載の画像駆動方法において、
前記高彩度領域として、前記色度図におけるＲＧＢが形成する三角形の頂点を中心とし、それぞれ所定の波長で定義される座標までの距離を半径とする３つの円を求めると共に、点Ｙ、Ｃ、Ｍと点Ｗをそれぞれ結ぶ直線上に位置する、点Ｗでの消費電力と同じ電力上の消費電力限界点ｙ、ｃ、ｍ点とＲＧＢの各点を通る３点で３つの弧を求め、ＲＧＢが形成する三角形の内側であり、前記３つの円の内側にあり、かつ前記３つの弧の内側にある領域が設定される
ことを特徴とする画像駆動方法。
【請求項１０】
請求項２に記載の画像駆動方法において、
前記高彩度領域として、前記色度図におけるＲＧＢが形成する第１の三角形の内側にあり、当該第１の三角形内に形成されて、当該第１の三角形の各頂点を結ぶ辺を所定のＹ座標分だけ平行移動させて形成した第２の三角形の外側にある領域が設定される
ことを特徴とする画像駆動方法。
【請求項１１】
請求項１から１０までのいずれか１項に記載の画像駆動方法において、
前記高彩度領域は、ホワイトポイントにおける消費電力Ｐｗの倍数で決まる値（Ｐｓ≒α×Ｐｗ、０＜α≦１）の消費電力Ｐｓと同等な値を示す点ｒ、ｙ、ｇ、ｃ、ｂ、ｍのいずれかを元に規定される
（ここで、点ｒ、ｃは、頂点Ｒとホワイトポイントを結んだ線上に存在する点、
点ｇ、ｍは、頂点Ｇとホワイトポイントを結んだ線上に存在する点、
点ｂ、ｙは、頂点Ｂとホワイトポイントを結んだ線上に存在する点である。）
ことを特徴とする画像駆動方法。
【請求項１２】
請求項１１に記載の画像駆動方法において、
画素構成がＲＧＢＷの時はα＝１、ＲＧＢの時はα＝０．５とする
ことを特徴とする画像駆動方法。
【請求項１３】
請求項１から１２までのいずれか１項に記載の画像駆動方法において、
前記判定工程は、１フレーム内画素数に対する高彩度領域内の画素数の比が所定値以上である場合に高彩度領域内に存在すると判定する
ことを特徴とする画像駆動方法。
【請求項１４】
請求項１から１２までのいずれか１項に記載の画像駆動方法において、
前記判定工程は、１フレーム分の平均座標を求め、この平均座標が前記高彩度領域に含まれる場合に高彩度領域内に存在すると判定する
ことを特徴とする画像駆動方法。
【請求項１５】
請求項１から１２までのいずれか１項に記載の画像駆動方法において、
前記判定工程は、平均座標を算出する領域を予め複数の領域に分類し、分類された領域のいずれか１つ以上の平均座標が前記高彩度領域に含まれる場合に高彩度領域内に存在すると判定する
ことを特徴とする画像駆動方法。
【請求項１６】
請求項１５に記載の画像駆動方法において、
前記平均座標を算出する領域を、前記色度図上における点Ｒ、Ｇ、Ｂ、Ｙ、Ｃ、Ｍに基づいて３つの四角形ＲＹＷＭ、ＧＣＷＹ、ＢＭＷＣの領域に分類する
ことを特徴とする画像駆動方法。
【請求項１７】
請求項１５に記載の画像駆動方法において、
前記平均座標を算出する領域を、前記色度図上における点Ｒ、Ｇ、Ｂ、Ｙ、Ｃ、Ｍに基づいて３つの三角形ＲＷＧ、ＧＷＢ、ＢＷＲの領域に分類する
ことを特徴とする画像駆動方法。
【請求項１８】
請求項１から１７までのいずれか１項に記載の画像駆動方法において、
前記輝度制御工程は、１フレーム分の画素の中で設定値に対する高彩度領域に存在する画素の占有比率が最も高い色の占有比率に基づいてＲＧＢの輝度修正を行う
ことを特徴とする画像駆動方法。
【請求項１９】
請求項１から１７までのいずれか１項に記載の画像駆動方法において、
前記輝度制御工程は、色度図上におけるＲＧＢ各色の頂点から平均座標地点までの距離と、ＲＧＢ各色の頂点と点Ｗをそれぞれ結ぶ直線上に位置する、点Ｗでの消費電力と同じ電力上の消費電力限界点ｒ、ｇ、ｂまでの距離との比で与えられる彩度率が、ＲＧＢのうち最も小さい値に基づいてＲＧＢの輝度修正を行う
ことを特徴とする画像駆動方法。
【請求項２０】
請求項１から１７までのいずれか１項に記載の画像駆動方法において、
前記輝度制御工程は、色度図上におけるＹＣＭ各色の設定点から平均座標地点までの距離と、ＹＣＭ各色の設定点と点Ｗをそれぞれ結ぶ直線上に位置する、点Ｗでの消費電力と同じ電力上の消費電力限界点ｙ、ｃ、ｍまでの距離との比で与えられる彩度率が、ＹＣＭのうち最も小さい値に基づいてＲＧＢの輝度修正を行う
ことを特徴とする画像駆動方法。
【発明の詳細な説明】
【技術分野】
【０００１】
この発明は、表示ディスプレイにおける輝度制御を行うことで、低消費電力化を可能にする画像駆動方法に関するものである。
【背景技術】
【０００２】
従来、有機ＥＬディスプレイの輝度制御方法において、映像入力信号に基づいて１画面毎に輝度積算値を算出し、算出された輝度積算値に基づいて映像入力信号の振幅を制御し、振幅制御後の映像信号を有機ＥＬディスプレイに供給するものがある（例えば、特許文献１参照）。
【先行技術文献】
【特許文献】
【０００３】
【特許文献１】特開２００３−２５５９０１号公報
【発明の概要】
【発明が解決しようとする課題】
【０００４】
ところで、色度図（国際照明委員会（ＣＩＥ）による色規格の１つ）において、Ｒ（レッド）の対角にはＣ（シアン）が存在し、Ｇ（グリーン）の対角にはＭ（マゼンタ）が存在し、Ｂ（ブルー）の対角にはＹ（イエロー）が存在する。また、画素構成がＲＧＢＷのパネルの場合、Ｗ（ホワイト）で規格化された消費電力を見ると、彩度の高い純色では消費電力が高いことが分かる。また、画素構成がＲＧＢ、ＲＧＢＷのパネル両方において、Ｙ（イエロー）、Ｃ（シアン）、Ｍ（マゼンタ）の消費電力が大きい傾向を示す。特にＲＧＢＷの場合、Ｗ（ホワイト）に比べ、Ｙ（イエロー）、Ｃ（シアン）、Ｍ（マゼンタ）では、２．５倍以上の消費電力になり、Ｗ（ホワイト）だけの輝度制御では適切な消費電力制御を行うことができない。
【０００５】
このように、彩度の高い代表的な色（Ｒ，Ｇ，Ｂ，Ｙ，Ｃ，Ｍ）について適切な輝度制御を行っていなく、彩度の高い色は駆動電流が大きい分、ディスプレイの特性劣化の速度が速く、焼きつきやすい傾向がある。また、彩度の高い色を表示するために、より能力の高い電源を用意する必要が生じ、消費電力やコストが増加する。
【０００６】
この発明は上述した点に鑑みてなされたもので、表示色の彩度に注目し、輝度の低減を適切に行うことにより、消費電力と特性劣化の低減を図ることができる画像駆動方法を得ることを課題とする。
【課題を解決するための手段】
【０００７】
この発明に係る画像駆動方法は、表示ディスプレイに表示する表示色の彩度の高い高彩度領域を設定する設定工程と、前記表示ディスプレイに表示する表示データが設定された前記高彩度領域に存在するか否かを判定する判定工程と、前記表示データが前記高彩度領域に存在する場合に、輝度を低下させるべく制御する輝度制御工程とを含む。
【発明の効果】
【０００８】
この発明によれば、彩度の高いデータによる消費電力の急激な増大を抑えつつ、低消費電力化と特性劣化の速度低減が可能な駆動方法を提供でき、特に、携帯機器に適用した場合、使用期間の延長とエネルギーの有効活用が可能である。
【図面の簡単な説明】
【０００９】
【図１】この発明に係る第１の高彩度領域の設定例を説明する色度図で、画素構成がＲＧＢＷの場合を示す図である。
【図２】この発明に係る第１の高彩度領域の設定例を説明する色度図で、画素構成がＲＧＢの場合を示す図である。
【図３】この発明に係る第２の高彩度領域の設定例を説明する色度図で、画素構成がＲＧＢＷの場合を示す図である。
【図４】この発明に係る第２の高彩度領域の設定例を説明する色度図で、画素構成がＲＧＢの場合を示す図である。
【図５】この発明に係る第３の高彩度領域の設定例を説明する色度図で、画素構成がＲＧＢＷの場合を示す図である。
【図６】この発明に係る第３の高彩度領域の設定例を説明する色度図で、画素構成がＲＧＢの場合を示す図である。
【図７】この発明に係る第４の高彩度領域の設定例を説明する色度図である。
【図８】この発明に係る第５の高彩度領域の設定例を説明する色度図である。
【図９】この発明に係る高彩度領域内か外かの比較例を説明するもので、３分類平均座標算出方法の説明図である。
【図１０】この発明に係る第２の輝度制御例を説明する色度図である。
【図１１】この発明に係る第３の輝度制御例を説明する色度図である。
【図１２】この発明の実施の形態１に係る画像駆動方法を説明するフローチャートである。
【図１３】この発明の実施の形態２に係る画像駆動方法を説明するフローチャートである。
【図１４】この発明の実施の形態３に係る画像駆動方法を説明するフローチャートである。
【図１５】この発明の実施の形態４に係る画像駆動方法を説明するフローチャートである。
【発明を実施するための形態】
【００１０】
発明の要旨
低消費電力化や焼き付き寿命は、輝度に強く依存し、有機ＥＬディスプレイの材料の改良や、輝度低下等の駆動方法が採用されてきた。これまで、低消費電力化の方法は、輝度あるいは消費電流を検知し、輝度を低下させる策が中心であった。しかし、実際に消費電流が大きくなる場合は、Ｗ（ホワイト）の高輝度表示以外に、色の純度（彩度）が高い場合もあった。特に画素構成がＲＧＢＷの場合、彩度の高い色（Ｒ，Ｇ，Ｂ，Ｙ，Ｃ，Ｍ）の電力はＷ表示よりも大きい。また、彩度の高い色は駆動電流が大きいので、特性劣化の速度が速く、焼き付き易い傾向がある。彩度の高い色について、適切な駆動（駆動電流を小さく）をすれば、劣化速度を低減できる。さらに、純度の高い色の表示を可能にするには、より能力の高い電源を用意する必要があった。
【００１１】
この発明は、輝度制御を行うソースデータとして彩度に注目し、純度の高い色を表示する場合に、適切に輝度制御を行い消費電力を管理するものである。特に、画素構成がＲＧＢＷである表示パネルに有効である。この発明の要旨を要約すると、次のとおりである。
【００１２】
・ホワイトポイントでの許容最大電力Ｐｗから設定される電力（Setting Power:Ｐｓ≒α×Ｐｗ、０＜α≦１）、これと同等あるいは大きい電力を示す各色（Ｒ，Ｇ，Ｂ，Ｙ，Ｃ，Ｍ）の座標を求め、それより色純度の高い領域を“高彩度領域”として求める。次に、ＲＧＢデータの座標と“高彩度領域”の座標とを比較し、Ｒ，Ｇ，Ｂ，Ｙ，Ｃ，Ｍのうち少なくとも一つが“高彩度領域”にある場合、輝度を低下させる。ここで、ＲＧＢデータと“高彩度領域”との比較方法は、１フレームにおける画素数比較または全画素の平均座標比較などがある。
【００１３】
なお、高彩度領域は、ホワイトポイントにおける消費電力Ｐｗの倍数で決まる値（Ｐｓ≒α×Ｐｗ、０＜α≦１）の消費電力Ｐｓと同等な値を示す点ｒ、ｙ、ｇ、ｃ、ｂ、ｍのいずれかを元に規定される。ここで、点ｒ、ｃは、頂点Ｒとホワイトポイントを結んだ線上に存在する点、点ｇ、ｍは、頂点Ｇとホワイトポイントを結んだ線上に存在する点、点ｂ、ｙは、頂点Ｂとホワイトポイントを結んだ線上に存在する点である。そして、画素構成がＲＧＢＷの時はα＝１、ＲＧＢの時はα＝０．５とする。
【００１４】
表示色の純度に注目した電力や特性劣化の制御フローは次のとおりである。
（１）高彩度領域の設定
（２）高彩度領域内か外かの比較
（３）ＲＧＢ輝度データの低下
【００１５】
（１）高彩度領域の設定
ホワイトポイント（ｘｗ、ｙｗ）での電力をＰｗとした時、下記の座標より色純度の高い領域を“高彩度領域”とする。
・画素構成がＲＧＢＷの場合は、Ｐｗと同等の電力を示す各色（Ｒ，Ｇ，Ｂ，Ｙ，Ｃ，Ｍ）の座標を求める
・画素構成がＲＧＢの場合、Ｐｗの何分の１（本例では２分の１）となる各色（Ｙ，Ｃ，Ｍ）の座標を求める
【００１６】
高彩度領域の設定法には以下の５種類がある。
１）材料固有の色度図上におけるＲＧＢ三角形の頂点とホワイトポイントを結ぶ線を元に領域を設定
２）材料固有の色度図上におけるＲＧＢ頂点を中心にする円（ＲＧＢ）とこの頂点とホワイトポイントを結ぶ線上に中心のある円（ＹＣＭ）との交わり領域を設定
３）材料固有の色度図上におけるＲＧＢ頂点とこの各頂点とホワイトポイントを結ぶ線上にある消費電力限界点（ＹＣＭ）との３点を通る円とＲＧＢ三角形との交わり領域を設定
４）たとえば標準設定ＲＧＢの三角形（ＮＴＳＣ領域）の各頂点とホワイトポイントを用いて領域を設定
５）単純にＲＧＢの各頂点を結ぶ辺と、その辺からある距離離れた辺との間を高彩度領域と設定
【００１７】
（２）高彩度領域内か外かの比較
１）１フレームにおける画素数比較：座標比較により、領域内の点か外の点かを判断する。
・画素ごとに比較し、領域内に存在する画素数をカウントする。
・式（１）を満足するか否かを判定する（式（１）を満たせば輝度低減する）。
高彩度領域内画素数／１フレーム内の画素数≧ｒ（設定値）      （１）
２）平均座標比較
・１フレーム分の平均座標（各座標を積算し全画素数で割る）を求める。単純平均法あるいは領域別平均法などあり。
・高彩度領域に含まれるか否かを判定する（含まれる場合、輝度低減する）。
【００１８】
（３）ＲＧＢ輝度データの低下
ＲＧＢデータの座標と“高彩度領域”の座標との比較した結果、Ｒ，Ｇ，Ｂ，Ｙ，Ｃ，Ｍのうち少なくとも一つが“高彩度領域”にある場合、輝度を低下させる。
【００１９】
次に、高彩度領域の設定例について具体的に説明する。
・第１の高彩度領域の設定例：材料固有の色度図上におけるＲＧＢ三角形の頂点とホワイトポイントを結ぶ線を元に領域を設定
図１は、画素構成がＲＧＢＷの場合を示しており、色度図上における高彩度領域（グレー色）を示している。
点Ｒ，Ｇ，Ｂ，Ｙ，Ｃ，Ｍ，ｒ，ｇ，ｂ，ｙ，ｃ，ｍは色度図上の位置を示しており、Ｐｒ、Ｐｇ、Ｐｂ、Ｐｙ、Ｐｃ、Ｐｍ、Ｐｗ、Ｐｒｗ、Ｐｇｗ、Ｐｂｗ、Ｐｙｗ、Ｐｃｗ、Ｐｍｗはその座標での消費電力を示している。
【００２０】
ここで、点Ｒ，Ｇ，Ｂ，Ｗは既知の値であり、点Ｙは点Ｂと点Ｗを結ぶ直線と線分ＧＲとの交点であり、同様に、点Ｃは点ＲとＷを結ぶ直線と線分ＧＢとの交点であり、点Ｍは点Ｇと点Ｗを結ぶ直線と線分ＢＲとの交点であり、これら点Ｙ、Ｃ、Ｍは、材料固有の点Ｒ、Ｇ、Ｂ、Ｗは決まれば一義的に決まる。また、点ｒ、ｇ、ｂ、ｙ、ｃ、ｍは点Ｗと点Ｒ、Ｇ、Ｂ、Ｙ、Ｃ、Ｍとをそれぞれ結ぶ直線上に位置し、点Ｗでの消費電力Ｐｗと同じ電力上の点として求められ、各点での電力は許容最大電力であり、消費電力限界点と考えることができる。このとき、Ｐｗ＝Ｐｒｗ＝Ｐｇｗ＝Ｐｂｗ＝Ｐｙｗ＝Ｐｃｗ＝Ｐｍｗである。
【００２１】
図１において、高彩度領域として、三角形ＲＧＢの内側であり、多角形（六角形）ｒｙｇｃｂｍの外側となる領域を設定する。つまり、ホワイトポイントＷでの電力Ｐｗより高い純度の領域を高彩度領域として設定し、輝度を低下させる。
【００２２】
また、図２に示す例では、ＲＧＢの場合を示しており、三角形ＲＧｙ、ＧＢｃ、ＢＲｍの領域が高彩度領域として設定される。ＲＧＢの場合、ＲＧＢそれぞれを単色で表示した場合、ホワイトポイントＷにおける消費電力Ｐｗを超える消費電力にはならない。従って、画素構成がＲＧＢの場合、Ｐｗの何分の１に達した時に本発明を採用するか決めなければならない。図２では、Ｐｒｗ、Ｐｇｗ、Ｐｂｗ＜１／２Ｐｗであり、Ｐｗ＝１／２Ｐｙｗ＝１／２Ｐｃｗ＝１／２Ｐｍｗとした場合である。高彩度領域は小さくなることが分かる。この高彩度領域は、三角形ＲＧＢの内側であり、多角形（六角形）ＲｙＧｃＢｍの外側となる領域と設定されるとも言える。
【００２３】
・第２の高彩度領域の設定例：材料固有の色度図上におけるＲＧＢ頂点を中心にする３つ円とこの頂点とホワイトポイントを結ぶ線上に中心のある３つ円との交わり領域を設定
【００２４】
図３は、ＲＧＢＷの場合を示しており、色度図上における高彩度領域を示している。三角形ＲＧＢの各頂点を中心とする円の半径は、ホワイトポイントＷにおける消費電力Ｐｗと同等の消費電力を示す点ｒ、ｇ、ｂとの距離である。また、点ｙ、ｃ、ｍを通る円の各半径を次のように求める。
【００２５】
点ｙを通る円の半径Ｙｒ＝ＲＧの距離
点ｃを通る円の半径Ｃｒ＝ＧＢの距離
点ｍを通る円の半径Ｍｒ＝ＢＲの距離
【００２６】
そして、図３において、高彩度領域として、三角形ＲＧＢの内側であり、三角形ＲＧＢの各頂点を中心とし、ホワイトポイントＷにおける消費電力Ｐｗと同等の消費電力を示す点までの距離を半径とする各円の内側であり、かつ半径Ｙｒ、Ｃｒ及びＭｒの各円の内側である領域を設定する。
【００２７】
また、図４に示す例では、ＲＧＢの場合、ＲＧＢそれぞれを単色で表示した場合、Ｐｒｗ、Ｐｇｗ、Ｐｂｗ＜１／２Ｐｗであり、ＲＧＢ発光ではＰｗを超える消費電力にはならない。図４は、Ｐｗ＝１／２Ｐｙｗ＝１／２Ｐｃｗ＝１／２Ｐｍｗとした場合であり、高彩度領域は小さくなることが分かる。高彩度領域として、三角形ＲＧＢの内側であり、半径Ｙｒ、Ｃｒ及びＭｒの各円の内側である領域を設定する。
【００２８】
・第３の高彩度領域の設定例：材料固有の三角形ＲＧＢの各頂点と、この各頂点とホワイトポイントを結ぶ線上にある消費電力限界点（ｙ、ｃ、ｍ）との３点を通る円と三角形ＲＧＢとの交わり領域を高彩度領域に設定
【００２９】
図５は、ＲＧＢＷの場合を示しており、色度図上における高彩度領域（グレー色）を示している。三角形ＲＧＢの各頂点を中心とする円の半径は、ホワイトポイントＷにおける消費電力Ｐｗと同等の消費電力を示す点ｒ、ｇ、ｂとの距離である。外側の大きな円は、各３点（Ｒ、ｙ、Ｇ）、（Ｇ、ｃ、Ｂ）及び（Ｂ、ｍ、Ｒ）を通る円である。この図５において、高彩度領域として、三角形ＲＧＢの内側であり、三角形ＲＧＢの各頂点を中心とし、ホワイトポイントＷにおける消費電力Ｐｗと同等の消費電力を示す点までの距離を半径とする各円の内側であり、かつ三角形ＲＧＢの各頂点とこの各頂点とホワイトポイントを結ぶ線上にある消費電力限界点（ｙ、ｃ、ｍ）との３点（Ｒ、ｙ、Ｇ）、（Ｇ、ｃ、Ｂ）及び（Ｂ、ｍ、Ｒ）を通る３つの各円の内側である領域を設定する。
【００３０】
また、図６に示す例では、ＲＧＢの場合を示しており、材料固有の三角形ＲＧＢの各頂点と、この各頂点とホワイトポイントを結ぶ線上にある消費電力限界点（ｙ、ｃ、ｍ）との３点を通る円と三角形ＲＧＢとの交わり領域を高彩度領域にした場合である。図６では、Ｇ、ｙ、Ｒの３点を通る円のみ記し、他の２つの円は省略した。すなわち、高彩度領域として、三角形ＲＧＢの内側であり、三角形ＲＧＢの各頂点とこの各頂点とホワイトポイントを結ぶ線上にある消費電力限界点（ｙ、ｃ、ｍ）との３点（Ｒ、ｙ、Ｇ）、（Ｇ、ｃ、Ｂ）及び（Ｂ、ｍ、Ｒ）を通る３つの各円の内側である領域を設定する。
【００３１】
・第４の高彩度領域の設定例：たとえば標準設定ＲＧＢの三角形（ＮＴＳＣ領域）の各頂点とホワイトポイントでの消費電力と同等あるいはある係数を用いて設定された点ｙ、ｃ、ｍを元に計算された領域を設定できる。
【００３２】
図７は、標準ＮＴＳＣ色度図を元に設定した高彩度領域の例を示している。ＲＧＢ座標を中心に、Ｒは５８０ｎｍ、Ｇは５６０ｎｍ、Ｂは４８５ｎｍの波長を通る半径で円を作成した。これらの値はより適切な値を選択すればなお一層好適である。また、点ｙ、ｃ、ｍは、ホワイトポイントでの消費電力と同等あるいはある係数を用いて設定された点である。これらの点とＲＧＢの各点を通る３点で弧を作成した。係数は実際のパネル特性と消費電力との関係から適切な値を決めればよい。実際のＯＬＥＤパネルの特性とこの高彩度領域と重なる領域で輝度を低下させると良い。すなわち、高彩度領域として、三角形ＲＧＢの内側であり、三角形ＲＧＢの各頂点を中心とし、任意の波長（Ｒは５８０ｎｍ、Ｇは５６０ｎｍ、Ｂは４８５ｎｍ）を通る半径を有する各円の内側であり、かつホワイトポイントでの消費電力と同等あるいはある係数を用いて設定された点とＲＧＢの各点を通る３点（Ｒ、ｙ、Ｇ）、（Ｇ、ｃ、Ｂ）及び（Ｂ、ｍ、Ｒ）で求められる孤の内側である領域を設定する。
【００３３】
・第５の高彩度領域の設定例：単純に三角形ＲＧＢの各頂点を結ぶ辺と、その辺からある距離離れた辺との間を高彩度領域とする。
【００３４】
図８は、三角形ＲＧＢの各頂点を結ぶ辺とこの辺を下記のようにあるＹ座標分だけ平行移動させて設定した高彩度領域の例を示している。
・辺Ｒ’Ｇ’は、辺ＲＧのＹ座標を、−ｏ移動した線分である。
・辺Ｇ’Ｂ’は、辺ＧＢのＹ座標を、−ｐ移動した線分である。
・辺Ｂ’Ｒ’は、辺ＢＲのＹ座標を、＋ｑ移動した線分である。
この図８に示す例では、高彩度領域として、三角形ＲＧＢの領域から三角形Ｒ’Ｇ’Ｂ’の領域を除いた領域、つまり、三角形ＲＧＢの内側であり、三角形Ｒ’Ｇ’Ｂ’の外側である領域を高彩度領域として設定する。
設定されたＲＧＢの座標から、ａ、ｂ、ｃの値を適宜決めるだけで高彩度領域の設定が可能であり、容易に設定可能である。
【００３５】
次に、高彩度領域内か外かの比較例について具体的に説明する。
・第１の比較例
各色における１フレーム内画素の座標を比較し、次に、１フレームの画素数に対する高彩度領域内の画素数を比較し、設定値より大きい場合、輝度を低下させる。すなわち、
・座標比較により、領域内の点か外の点かを判断する。
・高彩度領域内の数を積算する。
・式（１）を満足するか否かで、輝度低減を行う。
（高彩度領域内の画素数）／（１フレーム内の画素数）≧ｒ      （１）
なお、設定値ｒは、パネルの仕様、コストなどから決まる固有の値である。
【００３６】
・第２の比較例
その１：単純平均座標算出方法
これは、各色の平均座標を計算し、その平均座標が高彩度領域内に存在する場合、輝度を低下させるものである。すなわち、
・１フレーム分の各色の平均座標（各座標を積算し全画素数で割る）を求める。
・高彩度領域に含まれるか否かで、輝度低減を行う。
【００３７】
その２：３分類平均座標算出方法
単純平均座標算出方法では、例えばＲＧＢの各色が３分の１ずつ表示イメージを構成する場合、その平均座標はホワイトポイントと同じになるが、消費電力はＰｗより大きな値になる。こういう場合に鑑み、平均座標を計算する領域を予め分類して計算する方法を導入する。
【００３８】
図９は、平均座標を算出する領域を３つのエリアに分類した図を示している。１フレーム分のビデオデータについて、図９（ａ）に示すように、平均座標を算出する領域を、３つの四角形ＲＹＷＭ，ＧＣＷＹ，ＢＭＷＣでなるＲ（ｘ、ｙ）、Ｇ（ｘ、ｙ）、Ｂ（ｘ、ｙ）の３つに分類し、ＲＧＢ領域に含まれる平均座標を算出する。そして、領域内であれば、後述する輝度制御例に従って輝度制御する。また、図９（ｂ）に示すように、平均座標を算出する領域を、３つの三角形ＲＷＧ，ＧＷＢ，ＢＷＲでなるＹ（ｘ、ｙ）、Ｃ（ｘ、ｙ）、Ｍ（ｘ、ｙ）の３つに分類し、全てのビデオデータについて平均座標を算出する。領域内であれば、一括輝度制御する。コスト、歩留まりの観点から、開発段階、特性、検査、調整におけるスループットなどに応じて、領域の設定と比較方法を選択すればよい。
【００３９】
次に、ＲＧＢ輝度データの低下（輝度制御）例について具体的に説明する。
・第１の輝度制御例
輝度修正は、元のビデオデータの色合いを保持する必要があるため、各ＲＧＢについて同じ比率で輝度低下させる必要がある。輝度修正値Ｙ’は下式に従って求められる。
Ｙ’＝Ｙ×ξ×θ
ここで、Ｙは初期輝度、ξは変換係数、θは高彩度領域占有比率である。変換係数ξはθ＝１（設定値と占有率が等しい１／２Ｐｙｗ＝１／２Ｐｃｗ＝１／２Ｐｍｗとした場合）のとき、Ｙ’の最大値を与える係数であり、修正後の輝度を初期輝度の半分に低下させる場合、ξ＝０．５となる。この値は、表示パネルの仕様に依存するものであり、θのように表示するイメージデータで変わるものではない。また、高彩度領域占比率θは、１フレーム分の画素の中で、設定値に対する高彩度領域に存在する画素の占有比率であり、次の関係を有する。
θ＝設定値／ｒ（占有率）、ｒ＝Ｎ／全画素数≧設定値
輝度修正は、各ＲＧＢのうち、占有比率θが最も大きい色のθを採用して、ＲＧＢ輝度を決定する。
【００４０】
・第２の輝度制御例
輝度修正値Ｙ’は下式に従って求められる。
Ｙ’＝Ｙ×ξ
指定された高彩度領域に含まれる場合、一括して輝度を低下させる方法である。
初期輝度の５０%に低下させる場合、ξ＝０．５となる。
【００４１】
・第３の輝度制御例
輝度修正値Ｙ’は下式に従って求められる。
Ｙ’＝Ｙ×ξ×η
ここで、ηは彩度率を示し、次式で示される。
η＝各色の頂点から平均座標地点ｘR、ｘG、ｘBまでの距離／各色の頂点からｒ、          ｇ、ｂまでの距離
図１０に示す例の場合、ＲＧＢの各彩度率ηR、ηG、ηBは、次のように示される。
ηR＝ＲｘRの距離／Ｒｒの距離
ηG＝ＲｘGの距離／Ｇｇの距離
ηB＝ＲｘBの距離／Ｂｂの距離
彩度率ηは、ＲＧＢのうち最も小さい値を採用し、ＲＧＢの輝度修正を行う。
【００４２】
・第４の輝度制御例
ここでは、ＲＧＢのビデオデータをもとに、ＲとＧの座標からＹ、ＧとＢの座標からＣ、ＢとＲの座標からＭの各平均座標を求め、輝度修正値Ｙ’を求める。
輝度修正値Ｙ’は下式に従って求められる。
Ｙ’＝Ｙ×ξ×ηYCM
ここで、ηYCMはＹＣＭの彩度率を示す。
図１１に示す例の場合、ＹＣＭの各彩度率ηY、ηC、ηMは、次のように示される。
ηY＝Ｙｘyの距離／Ｙｙの距離
ηC＝Ｃｘcの距離／Ｃｃの距離
ηM＝Ｍｘmの距離／Ｍｍの距離
彩度率ηYCMは、ＹＣＭのうち最も小さい値を採用し、ＲＧＢの輝度修正を行う。
【００４３】
次に、上述した高彩度領域の設定例、高彩度領域内か外かの比較例、ＲＧＢ輝度データの低下（輝度制御）例を採用した具体的な実施の形態を詳細に説明する。
【００４４】
実施の形態１．
図１２は、この発明の実施の形態１に係る画像駆動方法を説明するフローチャートであり、図１に示す色度図上における高彩度領域の確定に基づくものである。図１２において、輝度制御に至るフローは、以下の４つの工程から構成される。
（１）高彩度領域の確定
（２）画素座標の算出
（３）画素データの比較
（４）輝度制御が必要か否かの判定
【００４５】
まず、高彩度領域の確定は、前述した第１の高彩度領域の設定例に従うもので、次の工程からなる。
・図１に示す色度図上において、ＲＧＢの各点の座標とホワイトポイントでの消費電力Ｐｗ、線分ＲＧ、 ＧＢ、 ＢＲを確定する（ステップＳ１１）。ＲＧＢ座標及びホワイトポイントでの消費電力Ｐｗは、材料固有の値として与えられ、これに基づき線分ＲＧ，ＧＢ，ＢＲは求められる。
・Ｐｗと同等あるいは大きな消費電力を示す各点ｒ、ｙ、ｇ、ｃ、ｂ、ｍの座標を求める（ステップＳ１２）。ＲＧＢの３原色の場合、Ｐｗと同等な点は存在しないので、Ｐｗの１／２なり、適当な値を設定することで求める。
・２点を通る直線の方程式を参考に各線分ｒｙ、ｙｇ、ｇｃ、ｃｂ、ｂｍ、ｍｒを確定する（ステップＳ１３）。
【００４６】
これにより、高彩度領域が設定される。図１に示す色度図上における高彩度領域は、材料固有のＲＧＢ三角形の頂点とホワイトポイントを結ぶ線を元に領域を設定されるもので、三角形ＲＧＢの内側であり、多角形（六角形）ｒｙｇｃｂｍの外側となる領域が設定される。つまり、ホワイトポイントＷでの電力Ｐｗより高い純度の領域が高彩度領域として設定される。
【００４７】
また、画素座標の算出を行う。画素座標は、１フレームの画素データを得て（ステップＳ１４）、ＲＧＢデータを色度図の座標データに変換する（ステップＳ１５）。ＲＧＢのデータから３刺激値を求め、座標データに変換する。
【００４８】
次に、画素データの比較を行う。画素座標の算出工程で求めた画素の座標が高彩度領域の確定工程で求めた高彩度領域内に存在するか否かが判定される。まず、各画素毎に高彩度領域内に存在するか否かが判定される（ステップＳ１６）。高彩度領域内か外かの比較は、前述した第１の比較例に従う。そして、高彩度領域内に存在する画素数Ｎをカウントする（ステップＳ１７）。
【００４９】
次に、輝度制御が必要か否かの判定が行われる。輝度制御が必要か否かの判定は、１フレーム内の画素数に対する高彩度領域内の画素数Ｎの比として求まる占有率ｒが材料固有の設定値、例えば０．４以上か否かで判定され（ステップＳ１８）、占有率ｒが設定値である０．４以上であれば、輝度制御が必要と判定され、輝度低下させるべく輝度修正される（ステップＳ１９）。この場合、輝度制御は、前述した第１の輝度制御例に従って制御される。
【００５０】
したがって、実施の形態１によれば、表示色の彩度に注目し、彩度の高い色について輝度の低減を適切に行うことができ、ディスプレイの消費電力と特性劣化の低減を図ることができる。
【００５１】
実施の形態２．
図１３は、この発明の実施の形態２に係る画像駆動方法を説明するフローチャートであり、図３に示す色度図における高彩度領域の確定に基づくものである。図１３において、輝度制御に至るフローは、以下の３つの工程から構成される。
（１）高彩度領域の確定
（２）ビデオデータの平均座標の算出
（３）輝度制御が必要か否かの判定
【００５２】
まず、高彩度領域の確定は、前述した第２の高彩度領域の設定例に従うもので、次の工程からなる。
・図３に示す色度図において、ＲＧＢの各点の座標とホワイトポイントでの消費電力Ｐｗ、線分ＲＧ、ＧＢ、ＢＲを確定する（ステップＳ２１）。ＲＧＢ座標及びホワイトポイントでの消費電力Ｐｗは、材料固有の値として与えられ、これに基づき線分ＲＧ，ＧＢ，ＢＲは求められる。
【００５３】
・Ｐｗと同等あるいは大きな消費電力を示す各点ｒ、ｙ、ｇ、ｃ、ｂ、ｍの座標を求め、点Ｒ、Ｇ、Ｂを中心とし、ｒ、ｇ、ｂを通る３つの円を求めると共に、この３つの円と三角形ＲＧＢとの交わり領域をＲＧＢに関する高彩度領域とする（ステップＳ２２）。ＲＧＢの３原色の場合、Ｐｗと同等な点は存在しないので、Ｐｗの１／２なり、適当な値を設定することで求める。
【００５４】
・円の中心が、ホワイトポイントを結ぶ直線上にあり、三角形ＲＧＢの各頂点と、点ｙ、ｃ、ｍとを通る半径Ｙｒ、Ｃｒ、Ｍｒの３つの円と、三角形ＲＧＢとの交わり部分をＹＣＭに関する高彩度領域とする（ステップＳ２３）。
・ＲＧＢに関する高彩度領域とＹＣＭに関する高彩度領域の和の領域を実施の形態２の高彩度領域とする。
【００５５】
これにより、高彩度領域として、三角形ＲＧＢの内側であり、三角形ＲＧＢの各頂点を中心とし、ホワイトポイントＷにおける消費電力Ｐｗと同等の消費電力を示す点までの距離を半径とする各円の内側であり、かつ半径Ｙｒ、Ｃｒ及びＭｒの各円の内側である領域が設定される。
【００５６】
また、平均座標の算出を行う。まず、１フレームの画素データを得て（ステップＳ２４）、ＲＧＢデータを色度図の座標データに変換する（ステップＳ２５）。ＲＧＢのデータから３刺激値を求め、座標データに変換する。そして、全てのビデオデータの座標を算出し、ｘ座標、ｙ座標について平均値（平均座標）を求める（ステップＳ２６）。
【００５７】
次に、輝度制御が必要か否かの判定を行う。平均座標の算出工程で求めた平均座標が、高彩度領域にあるか否か判定し（ステップＳ２７）、高彩度領域にある場合、輝度低下させるべく輝度修正される（ステップＳ２８）。この場合、輝度制御は、前述した第２の輝度制御例に従って制御される。
【００５８】
したがって、実施の形態２によれば、表示色の彩度に注目し、彩度の高い色について輝度の低減を適切に行うことができ、ディスプレイの消費電力と特性劣化の低減を図ることができる。
【００５９】
実施の形態３．
図１４は、この発明の実施の形態３に係る画像駆動方法を説明するフローチャートであり、図５に示す色度図上における高彩度領域の確定に基づくものである。図１４において、輝度制御に至るフローは、以下の３つの工程から構成される。
（１）高彩度領域の確定
（２）ビデオデータの平均座標の算出
（３）輝度制御が必要か否かの判定
【００６０】
まず、高彩度領域の確定は、前述した第３の高彩度領域の設定例に従うもので、次の工程からなる。
・図５に示す色度図において、ＲＧＢの各点の座標とホワイトポイントでの消費電力Ｐｗ、線分ＲＧ、ＧＢ、ＢＲを確定する（ステップＳ３１）。ＲＧＢ座標及びホワイトポイントでの消費電力Ｐｗは、材料固有の値として与えられ、これに基づき線分ＲＧ，ＧＢ，ＢＲは求められる。
【００６１】
・Ｐｗと同等あるいは大きな消費電力を示す各点ｒ、ｙ、ｇ、ｃ、ｂ、ｍの座標を求め、点Ｒ、Ｇ、Ｂを中心とし、ｒ、ｇ、ｂを通る３つの円を求めると共に、この３つの円と三角形ＲＧＢとの交わり領域をＲＧＢに関する高彩度領域とする（ステップＳ３２）。ＲＧＢの３原色の場合、Ｐｗと同等な点は存在しないので、Ｐｗの１／２なり、適当な値を設定することで求める。
【００６２】
・３点Ｒ、ｙ、Ｇを通る円、３点Ｇ、ｃ、Ｂを通る円、および３点Ｂ、ｍ、Ｒを通る円を求めると共に、この３つの円と三角形ＲＧＢとの交わり領域をＹＣＭに関する高彩度領域とする（ステップＳ３３）。
・ＲＧＢに関する高彩度領域とＹＣＭに関する高彩度領域の和の領域を実施の形態３の高彩度領域とする。
【００６３】
これにより、高彩度領域として、三角形ＲＧＢの内側であり、三角形ＲＧＢの各頂点を中心とし、ホワイトポイントＷにおける消費電力Ｐｗと同等の消費電力を示す点までの距離を半径とする各円の内側であり、かつ三角形ＲＧＢの各頂点とこの各頂点とホワイトポイントを結ぶ線上にある消費電力限界点（ｙ、ｃ、ｍ）との３点（Ｒ、ｙ、Ｇ）、（Ｇ、ｃ、Ｂ）及び（Ｂ、ｍ、Ｒ）を通る３つの各円の内側である領域を設定する。
【００６４】
また、平均座標の算出を行う。まず、１フレームの画素データを得て（ステップＳ３４）、ＲＧＢデータを色度図の座標データに変換する（ステップＳ３５）。ＲＧＢのデータから３刺激値を求め、座標データに変換する。そして、平均座標を算出する領域をＲ（ｘ、ｙ）、Ｇ（ｘ、ｙ）、Ｂ（ｘ、ｙ）の３つに分類し、全てのビデオデータについて平均座標を算出する（ステップＳ３６）。
【００６５】
次に、輝度制御が必要か否かの判定を行う。平均座標の算出工程で求めた平均座標バーＲ（ｘ、ｙ）、バーＧ（ｘ、ｙ）、バーＢ（ｘ、ｙ）のうち１つ以上が、高彩度領域にあるか否かを判定し（ステップＳ３７）、高彩度領域にある場合、輝度低下させるべく軌道修正される（ステップＳ３８）。この場合、輝度制御は、前述した第３の輝度制御例に従って制御される。
【００６６】
したがって、実施の形態３によれば、表示色の彩度に注目し、彩度の高い色について輝度の低減を適切に行うことができ、ディスプレイの消費電力と特性劣化の低減を図ることができる。
【００６７】
実施の形態４．
図１５は、この発明の実施の形態４に係る画像駆動方法を説明するフローチャートであり、図８に示す色度図上における高彩度領域の確定に基づくものである。図１５において、輝度制御に至るフローは、以下の３つの工程から構成される。
（１）高彩度領域の確定
（２）ビデオデータの平均座標の算出
（３）輝度制御が必要か否かの判定
【００６８】
まず、高彩度領域の確定は、前述した第５の高彩度領域の設定例に従うもので、次の工程からなる。
・図８に示す色度図において、ＲＧＢの各点の座標とホワイトポイントでの消費電力Ｐｗ、線分ＲＧ、ＧＢ、ＢＲを確定する（ステップＳ４１）。ＲＧＢ座標及びホワイトポイントでの消費電力Ｐｗは、材料固有の値として与えられ、これに基づき線分ＲＧ，ＧＢ，ＢＲは求められる。
【００６９】
・線分ＲＧ，ＧＢ，ＢＲをあるＹ座標分だけ平行移動させて、三角形Ｒ'Ｇ’Ｂ’を求める（ステップＳ４２）。
すなわち、ＲＧのＹ座標を、−ｏして、Ｒ’Ｇ’を形成する。
ＧＢのＹ座標を、−ｐして、Ｇ’Ｂ’を形成する。
ＢＲのＹ座標を、＋ｑして、Ｂ’Ｒ’を形成する。
なお、０．０＜ｏ、ｐ、ｑ＜１．０である。
【００７０】
・三角形ＲＧＢの領域から、三角形Ｒ’Ｇ’Ｂ’の領域を除いた領域を高彩度領域として設定する（ステップＳ４３）。
【００７１】
これにより、高彩度領域として、三角形ＲＧＢの領域から三角形Ｒ’Ｇ’Ｂ’の領域を除いた領域、つまり、三角形ＲＧＢの内側であり、三角形Ｒ’Ｇ’Ｂ’の外側である領域を高彩度領域として設定する。
【００７２】
また、平均座標の算出を行う。まず、１フレームの画素データを得て（ステップＳ４４）、ＲＧＢデータを色度図の座標データに変換する（ステップＳ４５）。ＲＧＢのデータから３刺激値を求め、座標データに変換する。そして、平均座標を算出する領域をＹ（ｘ、ｙ）、Ｃ（ｘ、ｙ）、Ｍ（ｘ、ｙ）の３つに分類し、全てのビデオデータについて平均座標を算出する（ステップＳ４６）。
【００７３】
次に、輝度制御が必要か否かの判定を行う。平均座標の算出工程で求めた平均座標バーＹ（ｘ、ｙ）、バーＣ（ｘ、ｙ）、バーＭ（ｘ、ｙ）のうち１つ以上が、高彩度領域にあるか否かを判定し（ステップＳ４７）、高彩度領域にある場合、輝度低下させるべく輝度修正される（ステップＳ４８）。この場合、輝度制御は、前述した第４の輝度制御例に従って制御される。
【００７４】
したがって、実施の形態４によれば、設定されたＲＧＢの座標からｏ、ｐ、ｑの値を決めるだけで高彩度領域の設定が可能であり、また、表示色の彩度に注目し、彩度の高い色について輝度の低減を適切に行うことができ、ディスプレイの消費電力と特性劣化の低減を図ることができる。
【００７５】
ＯＬＥＤデバイスは自発光型であり、発光材料によって、消費電力や寿命（焼き付き、半減期）が異なる。この発明は、表示色の彩度に注目し、消費電力を抑制するものであるので、次の如く効果が達成できる。
（１）高彩度色表示時を抽出し、輝度調整を行うので、低消費電力化と特性劣化の抑制が実現できる。
（２）特に、ＲＧＢＷの場合、Ｗ表示時より、高彩度領域の色表示時が消費電力が大きいので、低消費電力化と特性劣化の抑制の効果が大きい。
（３）また、ＲＧＢＷの場合、ホワイトポイントでの電力をピーク電力に設定することができるので、電力管理が易しくなり、より精度の高い電力制御が可能になる。
（４）ピークの消費電力を抑制できるので、低消費電力、低コストの電源設計が可能となる。
（５）従来の輝度制御に、この発明の表示色による消費電力制御を追加することで、精度良い消費電力管理が可能となり、携帯機器の使用時間の長期化、エネルギーの有効活用が実現できる。
【００７６】
以上要約すると、この発明に係る画像駆動方法は、次に態様に従って実施できる。
表示ディスプレイに表示する表示色の彩度の高い高彩度領域を設定する設定工程と、前記表示ディスプレイに表示する表示データが設定された前記高彩度領域に存在するか否かを判定する判定工程と、前記表示データが前記高彩度領域に存在する場合に、輝度を低下させるべく制御する輝度制御工程とを含む。
【００７７】
前記設定工程は、色度図上における前記表示ディスプレイの材料固有のＲＧＢが形成する三角形の頂点とホワイトポイントを結ぶ線を元にＲＧＢが形成する三角形の辺に近い領域を高彩度領域として設定する。
【００７８】
前記高彩度領域として、前記色度図における点Ｒ、Ｇ、Ｂ、Ｙ、Ｃ、Ｍと点Ｗをそれぞれ結ぶ直線上に位置する、点Ｗでの消費電力と同じ電力上の消費電力限界点をそれぞれ求め、ＲＧＢが形成する三角形の内側であり、前記消費電力限界点を順次結んで形成される多角形の外側となる、ホワイトポイントでの電力より高い純度の領域が設定される。
【００７９】
前記高彩度領域として、前記色度図における点Ｙ、Ｃ、Ｍと点Ｗをそれぞれ結ぶ直線上に位置する、点Ｗでの消費電力と同じ電力上の消費電力限界点をそれぞれ求め、ＲＧＢが形成する三角形の内側であり、前記消費電力限界点を前記三角形の各頂点間に介在して当該消費電力限界点と前記三角形の各頂点を順次結んで形成される多角形の外側となる、ホワイトポイントでの電力より高い純度の領域が設定される。
【００８０】
前記高彩度領域として、前記色度図におけるＲＧＢが形成する三角形の頂点を中心とし、点Ｒ、Ｇ、Ｂから、点Ｒ、Ｇ、Ｂと点Ｗをそれぞれ結ぶ直線上に位置する、点Ｗでの消費電力と同じ電力上の消費電力限界点ｒ、ｇ、ｂまでの距離を半径とする３つの小円を求めると共に、点Ｒ、Ｇ、Ｂと点Ｗをそれぞれ結ぶ直線上に中心位置がそれぞれ存在し、点Ｙ、Ｃ、Ｍと点Ｗをそれぞれ結ぶ直線上に位置する、点Ｗでの消費電力と同じ電力上の消費電力限界点ｙ、ｃ、ｍをそれぞれ通り、点Ｙ、Ｃ、Ｍに隣接するＲＧＢが形成する三角形の頂点間の距離を半径とする３つの大円を求め、ＲＧＢが形成する三角形の内側であり、前記３つの小円の内側にあり、かつ前記３つの大円の内側にある領域が設定される。
【００８１】
前記高彩度領域として、前記色度図における点Ｙ、Ｃ、Ｍと点Ｗをそれぞれ結ぶ直線上に位置する、点Ｗでの消費電力と同じ電力上の消費電力限界点ｙ、ｃ、ｍをそれぞれ通り、点Ｙ、Ｃ、Ｍに隣接するＲＧＢが形成する三角形の頂点間の距離を半径とする３つの円を求め、ＲＧＢが形成する三角形の内側であり、前記３つの円の内側にありる領域が設定される。
【００８２】
前記高彩度領域として、前記色度図におけるＲＧＢが形成する三角形の頂点を中心とし、点Ｒ、Ｇ、Ｂから、点Ｒ、Ｇ、Ｂと点Ｗをそれぞれ結ぶ直線上に位置する、点Ｗでの消費電力と同じ電力上の消費電力限界点ｒ、ｇ、ｂまでの距離を半径とする３つの小円を求めると共に、点Ｙ、Ｃ、Ｍと点Ｗをそれぞれ結ぶ直線上に位置する、点Ｗでの消費電力と同じ電力上の消費電力限界点ｙ、ｃ、ｍと、点ｙ、ｃ、ｍを間にしてＲＧＢが形成する三角形の隣接する２つの頂点とを通る３つの大円を求め、ＲＧＢが形成する三角形の内側であり、前記３つの小円の内側にあり、かつ前記３つの大円の内側にある領域が設定される。
【００８３】
前記高彩度領域として、前記色度図における点Ｙ、Ｃ、Ｍと点Ｗをそれぞれ結ぶ直線上に位置する、点Ｗでの消費電力と同じ電力上の消費電力限界点ｙ、ｃ、ｍと、点ｙ、ｃ、ｍを間にしてＲＧＢが形成する三角形の隣接する２つの頂点とを通る３つの大円を求め、ＲＧＢが形成する三角形の内側であり、前記３つの大円の内側にある領域が設定される。
【００８４】
前記高彩度領域として、前記色度図におけるＲＧＢが形成する三角形の頂点を中心とし、それぞれ所定の波長で定義される座標までの距離を半径とする３つの円を求めると共に、点Ｙ、Ｃ、Ｍと点Ｗをそれぞれ結ぶ直線上に位置する、点Ｗでの消費電力と同じ電力上の消費電力限界点ｙ、ｃ、ｍ点とＲＧＢの各点を通る３点で３つの弧を求め、ＲＧＢが形成する三角形の内側であり、前記３つの円の内側にあり、かつ前記３つの弧の内側にある領域が設定される。
【００８５】
前記高彩度領域として、前記色度図におけるＲＧＢが形成する第１の三角形の内側にあり、当該第１の三角形内に形成されて、当該第１の三角形の各頂点を結ぶ辺を所定のＹ座標分だけ平行移動させて形成した第２の三角形の外側にある領域が設定される。
【００８６】
前記高彩度領域は、ホワイトポイントにおける消費電力Ｐｗの倍数で決まる値（Ｐｓ≒α×Ｐｗ、０＜α≦１）の消費電力Ｐｓと同等な値を示す点ｒ、ｙ、ｇ、ｃ、ｂ、ｍのいずれかを元に規定される。
（ここで、点ｒ、ｃは、頂点Ｒとホワイトポイントを結んだ線上に存在する点、
点ｇ、ｍは、頂点Ｇとホワイトポイントを結んだ線上に存在する点、
点ｂ、ｙは、頂点Ｂとホワイトポイントを結んだ線上に存在する点である。）
【００８７】
画素構成がＲＧＢＷの時はα＝１、ＲＧＢの時はα＝０．５とする。
【００８８】
前記判定工程は、１フレーム内画素数に対する高彩度領域内の画素数の比が所定値以上である場合に高彩度領域内に存在すると判定する。
【００８９】
前記判定工程は、１フレーム分の平均座標を求め、この平均座標が前記高彩度領域に含まれる場合に高彩度領域内に存在すると判定する。
【００９０】
前記判定工程は、平均座標を算出する領域を予め複数の領域に分類し、分類された領域のいずれか１つ以上の平均座標が前記高彩度領域に含まれる場合に高彩度領域内に存在すると判定する。
【００９１】
前記平均座標を算出する領域を、前記色度図上における点Ｒ、Ｇ、Ｂ、Ｙ、Ｃ、Ｍに基づいて３つの四角形ＲＹＷＭ、ＧＣＷＹ、ＢＭＷＣの領域に分類する。
【００９２】
前記平均座標を算出する領域を、前記色度図上における点Ｒ、Ｇ、Ｂ、Ｙ、Ｃ、Ｍに基づいて３つの三角形ＲＷＧ、ＧＷＢ、ＢＷＲの領域に分類する。
【００９３】
前記輝度制御工程は、１フレーム分の画素の中で設定値に対する高彩度領域に存在する画素の占有比率が最も高い色の占有比率に基づいてＲＧＢの輝度修正を行う。
【００９４】
前記輝度制御工程は、色度図上におけるＲＧＢ各色の頂点から平均座標地点までの距離と、ＲＧＢ各色の頂点と点Ｗをそれぞれ結ぶ直線上に位置する、点Ｗでの消費電力と同じ電力上の消費電力限界点ｒ、ｇ、ｂまでの距離との比で与えられる彩度率が、ＲＧＢのうち最も小さい値に基づいてＲＧＢの輝度修正を行う。
【００９５】
前記輝度制御工程は、色度図上におけるＹＣＭ各色の設定点から平均座標地点までの距離と、ＹＣＭ各色の設定点と点Ｗをそれぞれ結ぶ直線上に位置する、点Ｗでの消費電力と同じ電力上の消費電力限界点ｙ、ｃ、ｍまでの距離との比で与えられる彩度率が、ＹＣＭのうち最も小さい値に基づいてＲＧＢの輝度修正を行う。
【図１】
2010211098.tif 000003
【図２】
2010211098.tif 000004
【図３】
2010211098.tif 000005
【図４】
2010211098.tif 000006
【図５】
2010211098.tif 000007
【図６】
2010211098.tif 000008
【図７】
2010211098.tif 000009
【図８】
2010211098.tif 000010
【図９】
2010211098.tif 000011
【図１０】
2010211098.tif 000012
【図１１】
2010211098.tif 000013
【図１２】
2010211098.tif 000014
【図１３】
2010211098.tif 000015
【図１４】
2010211098.tif 000016
【図１５】
2010211098.tif 000017